(57)【要約】【課題】作業機のタンクの底面隅に生じる塵埃の蓄積が減少し、掃除に要する労力、時間を削減できる構成の作業機のタンクを提供する。【解決手段】戻り油をタンク１に還流させる戻り管２２が接続され、かつタンク１の底部にタンク１内の油を流出させる流出部１ａを有する。タンク１内の底面１ｃの隅１ｂに沿って油の吐出孔２３ａを有する吐出管２３を設ける。吐出管２３を戻り管２２に接続する接続管２４を備える。戻り管２２から接続管２４を介して吐出管２３の吐出孔２３ａから戻り油をタンク底面１ｃ上に吐出させる。【選択図】図３
2014034851.tif 000002
【特許請求の範囲】
【請求項１】
戻り油をタンクに還流させる戻り管が接続され、かつタンク底部にタンク内の油を流出させる流出部を有する作業機のタンクにおいて、
前記タンク内の底面の隅に沿って設けられ、油の吐出部を有する吐出管と、
前記吐出管を前記戻り管に接続する接続管とを備え、
前記戻り管から前記接続管を介して前記吐出管の前記吐出部から戻り油をタンク底面上に吐出させる構成としたことを特徴とする作業機のタンク。
【請求項２】
請求項１に記載の作業機のタンクにおいて、
前記吐出部として、前記吐出管に斜め下方に向けて設けた吐出孔を備えると共に、前記吐出管の上面に上方に向けて設けられ、前記吐出管上への塵埃の堆積を防止する吐出流を発生させる吐出孔をさらに設けたことを特徴とする作業機のタンク。
【請求項３】
請求項１または２に記載の作業機のタンクにおいて、
前記吐出管をタンク底面の隅全周にわたって設けると共に、前記戻り管に前記吐出管を接続する複数の接続管を分散して配設したことを特徴とする作業機のタンク。
【発明の詳細な説明】
【技術分野】
【０００１】
本発明は、油圧ショベル等の作業機に備えられ、燃料タンクや作動油タンクとして用いられるタンクに関する。
【背景技術】
【０００２】
油圧ショベルにおいては、上部旋回体を構成する旋回フレーム上にパワーユニットが搭載される。このパワーユニットは、エンジンと、このエンジンにより駆動される油圧ポンプと、エンジン用の燃料を蓄える燃料タンクと、油圧ポンプから吐出されて各種アクチュエータを駆動する作動油を蓄える作動油タンクと、各種冷却装置等を含んで構成される。
【０００３】
特許文献１に開示されているタンクは、図６に略示するように、タンク１の底面に下方に突出させて油の流出のためのボックス状の流出部１ａを設け、この流出部１ａ内に油中に含まれる塵埃を除去するフィルタ２が設けている。そして、タンク１の側面に設けた戻り油の流入口３から流入する油に混入した塵埃のうち、比重の重い塵埃はタンク１の底面に沈殿し、沈殿した塵埃は部屋１ａ内のフィルタ２に流れて捕捉される。
【０００４】
大型ショベルの場合、作動油タンクや燃料タンクの容量は大きく、流出部１ａ内に設けるフィルタ２は、捕捉される塵埃による流動抵抗の増大を生じるため、所定の稼働時間ごとに交換する必要がある。このフィルタ２の交換の際にはタンク１の側面に設けられた開口部を塞ぐ蓋４を開け、開口部からタンク１内に作業員が入ってフィルタ２の交換を行なう。このフィルタ２の交換を行なう際に、タンク１の内面の掃除も行なう。
【先行技術文献】
【特許文献】
【０００５】
【特許文献１】特開平１１−０３６３６３号公報
【発明の概要】
【発明が解決しようとする課題】
【０００６】
しかしながら、前述のようにタンク１の容積は大きく、また、タンク１の底面の隅１ｂは角形であるため、タンク１内の底面隅１ｂでは油の流れが発生しない。このため、タンク１内の底面隅１ｂでは塵埃はタンク１から流出部１ａへと流れず、堆積していく。このような塵埃の堆積量が増大すると掃除が困難となる。特に燃料タンクの場合、近年、バイオディーゼル燃料が多用され、タンク１の底面隅１ｂに粘着性のスラッジが付着して堆積する事態が発生するため、掃除がさらに困難となり、掃除に多大の労力と時間を要するという問題点がある。
【０００７】
本発明は、上記問題点に鑑み、作業機のタンクの底面隅に生じる塵埃の蓄積が減少し、掃除に要する労力、時間を削減できる構成の作業機のタンクを提供することを目的とする。
【課題を解決するための手段】
【０００８】
請求項１の作業機のタンクは、戻り油をタンクに還流させる戻り管が接続され、かつタンク底部にタンク内の油を流出させる流出部を有する作業機のタンクにおいて、
前記タンク内の底面の隅に沿って設けられ、油の吐出部を有する吐出管と、
前記吐出管を前記戻り管に接続する接続管とを備え、
前記戻り管から前記接続管を介して前記吐出管の前記吐出部から戻り油をタンク底面上に吐出させる構成としたことを特徴とする。
【０００９】
請求項２の作動油のタンクは、請求項１に記載の作業機のタンクにおいて、
前記吐出部として、前記吐出管に斜め下方に向けて設けた吐出孔を備えると共に、前記吐出管の上面に上方に向けて設けられ、前記吐出管上への塵埃の堆積を防止する吐出流を発生させる吐出孔をさらに設けたことを特徴とする。
【００１０】
請求項３の作業機のタンクは、請求項１または２に記載の作業機のタンクにおいて、
前記吐出管をタンク底面の隅全周にわたって設けると共に、前記戻り管に前記吐出管を接続する複数の接続管を分散して配設したことを特徴とする。
【発明の効果】
【００１１】
請求項１の発明によれば、タンク底面の隅に沿って吐出管を設け、吐出管に備えた吐出部から戻り油をタンク底面上に吐出してタンク底面における塵埃の堆積を防止するようにしたので、タンク底面の隅における塵埃の堆積が減少し、タンク清掃に要する労力および時間が軽減される。
【００１２】
請求項２の発明によれば、吐出管に斜め下方に向けて設けた吐出孔を備えると共に、吐出管の上面に上方に向けて設けられ、吐出管上への塵埃の堆積を防止する吐出孔を設けたので、タンク底面のみならず、吐出管への塵埃の堆積も防止することができ、さらにタンク内の清掃が容易となる。
【００１３】
請求項３の発明によれば、戻り管に接続する複数の接続管を分散して配設したので、タンク全周にわたる吐出管の吐出部から油を均一に吐出させることができ、全周にわたりタンクの底面隅への塵埃の堆積が防止できる。
【図面の簡単な説明】
【００１４】
【図１】本発明のタンクを適用する作業機の一例を示す側面図である。
【図２】（Ａ）は本発明によるタンクの一実施の形態の概略を示す斜視図、（Ｂ）は（Ａ）に示す吐出管の一部を拡大して示す斜視図である。
【図３】（Ａ）は本実施の形態のタンクの設置構造を示す側面断面図、（Ｂ）は（Ａ）のＥ−Ｅ断面図である。
【図４】本実施の形態の吐出管からの油の流出を示す断面図である。
【図５】（Ａ）は本発明の他の実施の形態のタンクの設置構造を示す側面断面図、（Ｂ）は（Ａ）のＦ−Ｆ断面図である。
【図６】従来のタンクの構成を示す斜視図である。
【発明を実施するための形態】
【００１５】
図１は本発明のタンクを適用する作業機の一例を示す側面図である。図１において、６はクローラ式の下部走行体、７は下部走行体６に旋回装置８を介して設置した上部旋回体である。上部旋回体７には運転室９、パワーユニット１０およびカウンタウエイト１１等が設置されると共に、作業用フロント１３が取付けられる。
【００１６】
作業用フロント１３は、上部旋回体７にブームシリンダ１４により俯仰可能に取付けたブーム１５と、このブーム１５にアームシリンダ１６により回動可能に取付けたアーム１７と、このアーム１７にバケットシリンダ１８により回動可能に取付けたバケット１９と、バケット１９を水平押出しするためにブーム１５とアーム１７との間に設けたレベルシリンダ２０とを備える。
【００１７】
パワーユニット１０は、エンジンと、このエンジンにより駆動される油圧ポンプと、エンジンの燃料を蓄える燃料タンクと、油圧ポンプから吐出される作動油を蓄える作動油タンクと、ラジエータ等の冷却装置等（いずれも図示せず）を含むものである。油圧ポンプは、下部走行体６の走行モータ（図示せず）、旋回装置８の旋回モータ（図示せず）、作業用フロント１３の油圧シリンダ１４、１６、１８、１９等に作動油を供給するものである。
【００１８】
図２（Ａ）は本発明によるタンクの一実施の形態を示す概略斜視図、図２（Ｂ）の本実施の形態のタンクに用いた吐出管の一部を拡大して示す斜視図、図３（Ａ）はこのタンク１の設置構造を示す側面断面図、図３（Ｂ）は図３（Ａ）のＥ−Ｅ断面図である。このタンク１は図１に示したパワーユニット１０に含まれる燃料タンクまたは作動油タンクとして構成されるものである。図３（Ａ）に示すようにこのタンク１は、上部旋回体７の旋回フレーム７ａ上に台枠２１を介して設置される。
【００１９】
図２（Ａ）、図３（Ａ）、（Ｂ）に示すように、本実施の形態のタンク１は、従来例と同様に、タンク１の底面に下方に突出したボックス状の流出部１ａを有し、この流出部１ａ内にフィルタ２を交換可能に取付けたものである。この流出部１ａは、タンク１内の油の吸込みを行なうフィルタ２の吸込み位置を低下させ、これにより、タンク１内の油面の上下動や傾斜時にも空気の吸込みが起こらないようにすると共に、タンク１の本体部（流出部１ａ以外の部分）の高さを低くすることを可能とするために設けられている。４はタンク１の側面に設けた作業員出入り用の開口部を塞ぐ蓋であり、ボルト（図示せず）により着脱可能に取付けたものである。
【００２０】
図３（Ａ）において、２２はこのタンク１に油を戻す戻り管であり、この戻り管２２はタンク１の側板部に設けられた流入口３に接続される。２３はタンク１の内部の底面の隅１ｂに沿って設けた油の吐出管であり、この吐出管２３は戻り管２２に接続管２４を介して接続される。
【００２１】
タンク１が作動油タンクの場合、戻り管２２は、油圧アクチュエータへのコントロール弁における油タンク側ポートに接続される。タンク１が燃料タンクの場合、戻り管２２は、燃料タンク１からエンジンに過剰に供給された燃料から余剰分として戻される余剰燃料の戻し用配管である。２５はタンク底面の流出部に接続された吸込み管であり、タンク１が作動油タンクの場合、油圧ポンプの吸込み口に接続されるものである。また、タンク１が燃料タンクの場合、エンジンの燃料の吸込み口に接続されるものである。
【００２２】
図４の断面図に示すように、吐出管２３にはタンク底面１ｃ上に戻り油を吐出する吐出流２６を生成するための吐出孔２３ａを斜め下向きに形成したものである。また、本実施の形態においては、吐出管２３の上面にも吐出管２３上に塵埃が蓄積することを防止する吐出流２７を生成するための吐出孔２３ｂを上向きに設けている。
【００２３】
この構成において、タンク１が作動油タンクである場合には、下部走行体６の走行モータ、旋回装置８の旋回モータ、作業用フロント１３の油圧シリンダ１４、１６、１８、１９等の油圧アクチュエータ作動の際にタンク１内の作動油は吸込み管２５から油圧ポンプに吸込まれて油圧アクチュエータに供給され、戻り油は戻り管２２を通してタンク１に戻され、接続管２４から吐出管２３を経て吐出孔２３ａ，２３ｂから図４の矢印２６，２７のように吐出される。
【００２４】
タンク１が燃料タンクである場合には、エンジンの作動によりタンク１からエンジンに吸込み管２５を通して燃料が供給され、余剰の燃料が戻り管２２、接続管２４および吐出管２３を通し、吐出孔２３ａ，２３ｂからタンク１内に吐出される。
【００２５】
このように、本実施の形態においては、タンク１の底面１ｃの隅１ｂに沿って吐出孔２３ａを有する吐出管２３を設けたので、底面１ｃの隅１ｂにおける塵埃の堆積を防止し、堆積量を低減できるこのため、フィルタ２の交換の際の清掃が容易となる。特にバイオディーゼル燃料を使用する場合には、除去しにくいスラッジの付着が防止されるので、清掃に要する労力、時間を削減する上で重要な効果を発揮する。
【００２６】
また、本実施の形態においては、吐出管２３の上面に上方に向けて設けられ、吐出管２３上への塵埃の堆積を防止する吐出孔２３ｂを設けたので、タンク底面１ｃのみならず、吐出管２３上への塵埃の堆積も防止することができ、さらにタンク１内の清掃が容易となる。
【００２７】
図５（Ａ）は本発明によるタンクの他の実施の形態を示す側面断面図、図５（Ｂ）は図５（Ａ）のＦ−Ｆ断面図である。図５の実施の形態においては、タンク１内の底面１ｃの隅１ｂの全周に配設した吐出管２３に対し、複数の接続管２４Ａ，２４Ｂを分散して配置、接続し、戻り油を分散して吐出管２３内に流入させて吐出孔２３ａ，２３ｂより吐出するようにしたものである。
【００２８】
図５に示すように、戻り管２２に接続する複数の接続管２４Ａ，２４Ｂ設け、吐出管２３に分散して戻すようにすれば、タンク１の全周にわたって吐出管２３の吐出孔２３ａ，２３ｂから油を均一に吐出させることができ、全周にわたりタンクの底面１ｃの隅１ｂへの塵埃の堆積がより良好に防止できる。
【００２９】
図５に示すように接続管２４Ａ，２４Ｂを分散配置する構造としては、戻り管２２から分岐して配置する構造がある。また、戻り管２２が複数本の配管によって構成される場合には、複数本の戻り管２２をそれぞれ個別の接続管２４Ａ，２４Ｂに接続する構造も採用できる。
【００３０】
本発明を実施する場合、吐出管２３は断面形状を必ずしも円形とする必要はなく、例えば矩形としてもよい。また、吐出管２３はタンク１の底面１ｃに載置する構成としてもよいが、図４の溶接部２８で示すようにタンク１の内面に吐出管２３を溶接等の手段で固定してもよい。また、吐出管２３は底面１ｃから浮かせてタンク１の内面に溶接等により固定し、吐出管２３の下面からタンク１の底面１ｃに向けて戻り油を吐出する構成としてもよい。
【００３１】
また、タンク１の底面に下方を突出した流出部１ａに設けず、底面１に吸込み管２５を接続した構成のタンクに吐出管２３を設置したものにも本発明の構造が適用できる。また、接続管２４，２４Ａ，２４Ｂは、吐出管２３からタンク１の底部近傍で突出させて戻り管２２に接続する構成とすることも可能である。
【００３２】
本発明のタンクは、油圧ショベル以外の各種作業機に適用できる。また、本発明を実施する場合、上記実施の形態に限らず、本発明の要旨を逸脱しない範囲において、種々の変更、付加が可能である。
【符号の説明】
【００３３】
１：タンク、１ａ：流出部、１ｂ：底面隅、１ｃ：底面、２：フィルタ、３：流入口、４：蓋、６：下部走行体、７：上部旋回体、７ａ：旋回フレーム、８：旋回装置、９：運転室、１０：パワーユニット、１１：カウンタウエイト、１３：作業用フロント、２１：台枠、２２：戻り管、２３：吐出管、２３ａ，２３ｂ：吐出孔、２４，２４Ａ，２４Ｂ：接続管、２５：吸込み管、２８：溶接部
【図１】
2014034851.tif 000003
【図２】
2014034851.tif 000004
【図３】
2014034851.tif 000005
【図４】
2014034851.tif 000006
【図６】
2014034851.tif 000007
【図５】
2014034851.tif 000008